(57)【要約】  【課題】  シンプルな構造で、好適に装着できる生体状態測定装置を提供すること。  【解決手段】  脈波センサ１は、手首３に取り付けられる腕時計タイプのセンサであり、脈波センサ本体５と、脈波センサ本体５を手首に取り付けるバンド７とを備えている。脈波センサ本体５の手首の外周方向には、バンド７が通される一対のバンド固定部１５、１７が設けられている。バンド固定部１５、１７には、短冊状のバンド挿通孔３１、３３が形成されている。バンド７は、弾性を有する１本の帯状体である。つまり、バンド７は、外力が加わると柔軟に変形し、外力が無くなると自身の弾性により元の形状に戻るゴム状の材質からなる。このバンド７の厚みは、バンド挿通孔３１、３３の短手方向より厚く設定され、その幅は、バンド挿通孔３１、３３の長手方向の寸法より大きめに設定されている。【選択図】  図１
2005324004.tif 000002
【特許請求の範囲】
【請求項１】
生体に接触して該生体の状態を測定する測定部を有するセンサ本体と、
前記生体の装着部位の周囲に巻回されて、前記センサ本体を前記生体の装着部位に取り付けるバンドと、
を備えた生体状態測定装置において、
前記センサ本体の側端部に、前記バンドが通されるバンド挿通孔を有するバンド固定部を備え、
前記バンドは、主として柔軟に変形する弾性材料からなり、該バンド自身の変形による弾性力によって、該バンド自身を前記バンド挿通孔にて係止するとともに、前記測定部を前記生体側に押圧することを特徴とする生体状態測定装置。
【請求項２】
生体に接触して該生体の状態を測定する測定部を有するセンサ本体と、
前記生体の装着部位の周囲に巻回されて、前記センサ本体を前記生体の装着部位に取り付けるバンドと、
を備えた生体状態測定装置において、
前記バンドは、主として柔軟に変形する弾性材料からなり、
前記センサ本体の側端部には、前記バンドが通されるバンド挿通孔を有するバンド固定部を備え、
前記バンド挿通孔に通される前記バンドの内側面と前記センサ本体の内側面とにより形成される凹部が、前記生体の装着部位に密着する構成であることを特徴とする生体状態測定装置。
【請求項３】
前記センサ本体には、その対向する両側端部に、一対の前記バンド固定部を備え、前記バンドは、前記一対のバンド固定部によりその両端側を係止されて環状となることを特徴とする前記請求項１又は２に記載の生体状態測定装置。
【請求項４】
前記バンド固定部は、前記センサ本体の側端部から斜め内側に突出した構成であることを特徴とする前記請求項１〜３のいずれかに記載の生体状態測定装置。
【請求項５】
前記バンド固定部は、前記センサ本体に対して、前記バンド挿通孔にて開く着脱式構造であることを特徴とする前記請求項１〜４のいずれかに記載の生体状態測定装置。
【請求項６】
前記バンド固定部は、前記センサ本体に対して回動又は直線方向に移動して、バンド挿通孔にて開く可動構造であることを特徴とする前記請求項１〜５のいずれかに記載の生体状態測定装置。
【請求項７】
生体に接触して該生体の状態を測定する測定部を有するセンサ本体と、
前記生体の装着部位の周囲に巻回されて、前記センサ本体を前記生体の装着部位に取り付けるバンドと、
を備えた生体状態測定装置において、
前記センサ本体に、前記バンドが通されるバンド挿通孔を有するバンド固定部が着脱可能に装着され、
前記バンドは、主として柔軟に変形する弾性材料からなり、前記バンド固定部の装着時には、該バンド自身の変形による弾性力によって、前記測定部を前記生体側に押圧することを特徴とする生体状態測定装置。
【請求項８】
生体に接触して該生体の状態を測定する測定部を有するセンサ本体と、
前記生体の装着部位の周囲に巻回されて、前記センサ本体を前記生体の装着部位に取り付けるバンドと、
を備えた生体状態測定装置において、
前記センサ本体には、前記バンドが通されるバンド挿通孔を備え、
前記バンドは、主として柔軟に変形する弾性材料からなり、該バンド自身の変形による弾性力によって、該バンド自身を前記バンド挿通孔にて係止するとともに、前記測定部を前記生体側に押圧することを特徴とする生体状態測定装置。
【請求項９】
前記バンド挿通孔の内径又はその開口部分の面積より、前記バンドの外径又はその断面積の方が大であることを特徴とする前記請求項１〜８のいずれかに記載の生体状態測定装置。
【請求項１０】
前記バンドは、前記生体の装着部位に装着した装着時と非装着時とで、前記装着部位を巻く環状部分の径が変化することを特徴とする前記請求項１〜９のいずれかに記載の生体状態測定装置。
【請求項１１】
前記バンドは、前記バンド挿通孔に対し、前記測定部が設けられた内側から外側に通されて、バンドの先端が外側に配置される構成であることを特徴とする前記請求項１〜１０のいずれかに記載の生体状態測定装置。
【請求項１２】
前記バンドは、非装着時には、自身の弾性により、前記バンド挿通孔に係止されて、所定以上の外力が加わらない限りはその係止位置が移動しないことを特徴とする前記請求項１〜１１のいずれかに記載の生体状態測定装置。
【請求項１３】
前記センタ本体の測定部側の表面が、湾曲構造を有することを特徴とする前記請求項１〜１２のいずれかに記載の生体状態測定装置。
【請求項１４】
前記センタ本体の測定部側の表面が、前記生体の装着部位の表面形状に対応した所定の１方向に沿って湾曲した構造を有することを特徴とする前記請求項１３に記載の生体状態測定装置。
【請求項１５】
前記バンドの一方又は両方の先端が、前記バンド挿通孔を通り抜けられない構成であることを特徴とする前記請求項１〜１４のいずれかに記載の生体状態測定装置。
【請求項１６】
前記バンド挿通孔に通された前記バンドの一方側又は両端側にて、該バンドの係止位置の調節が可能であることを特徴とする前記請求項１〜１５のいずれかに記載の生体状態測定装置。
【請求項１７】
手首における装着時に、前記バンドの係止位置の調節が手前側で可能な構成としたことを特徴とする前記請求項１６に記載の生体状態測定装置。
【請求項１８】
前記センサ本体が、その平面形状の上下又は左右に非対称であることを特徴とする前記請求項１〜１７のいずれかに記載の生体状態測定装置。
【請求項１９】
前記バンドの一方又は両方の先端を、固定できる構成としたことを特徴とする前記請求項１〜１８のいずれかに記載の生体状態測定装置。
【請求項２０】
前記バンドの自由端を、前記バンドに嵌めたリング状部材に通して固定する構成としたことを特徴とする前記請求項１〜１９のいずれかに記載の生体状態測定装置。
【請求項２１】
前記バンドは、センサ本体の外側を覆って固定される構造であることを特徴とする前記請求項１〜２０のいずれかに記載の生体状態測定装置。
【請求項２２】
前記センサ本体に、その両側端同士をつなぐように貫通する中空部を備え、
前記バンドは、前記センサ本体の中空部を通過して固定される構造であることを特徴とする前記請求項１〜２０のいずれかに記載の生体状態測定装置。
【請求項２３】
前記センサ本体の側端部に、装置の動作を操作する操作部を設けたことを特徴とする前記請求項１〜２２のいずれかに記載の生体状態測定装置。
【請求項２４】
前記操作部を、前記センサ本体の側端部に形成された凹部内に設けたことを特徴とする前記請求項２３に記載の生体状態測定装置。
【請求項２５】
生体に接触して該生体の状態を測定する測定部と、
前記生体の装着部位の周囲に巻回されて、前記測定部を前記装着部位に押圧するバンドと、
を備えた生体状態測定装置であって、
前記バンドに、前記生体の状態の測定に必要な部品を配置したことを特徴とする生体状態測定装置。
【請求項２６】
前記部品は、測定部、表示部、電池、及び操作部のうち、少なくとも１種であることを特徴とする前記請求項２５に記載の生体状態測定装置。
【請求項２７】
前記バンドに設けられた部品と、前記バンドとは別に設けられた測定部とが、接続構造により電気的に接続されたことを特徴とする前記請求項２５又は２６に記載の生体状態測定装置。
【請求項２８】
生体に接触して該生体の状態を測定する測定部と、
前記生体の装着部位の周囲に巻回されて、前記測定部を前記装着部位に押圧するバンドと、
を備えた生体状態測定装置であって、
前記バンドの内側に、前記測定部を備えたセンサ本体を固定構造により固定したことを特徴とする生体状態測定装置。
【請求項２９】
生体に接触して該生体の状態を測定する測定部を収容した板状のセンサ本体を備え、
主として柔軟に変形する弾性材料から構成されて前記生体の装着部位の周囲に巻回されるバンドによって、前記測定部を前記装着部位に押圧する生体状態測定装置であって、
前記センサ本体の板厚方向の一方に表面に設けられ、前記センサ本体自身を前記バンドに固定する固定構造を備えたことを特徴とする生体状態測定装置。
【請求項３０】
前記バンドは、１本の帯状の長尺の部材であることを特徴とする前記請求項１〜２９のいずれかに記載の生体状態測定装置。
【請求項３１】
前記バンドの幅が一定ではなく、前記測定部の反対側の幅が広くなっていることを特徴とする前記請求項１〜３０のいずれかに記載の生体状態測定装置。
【請求項３２】
前記バンドの前記測定部の反対側に、前記バンドの幅より広い補助パッドを備えたことを特徴とする前記請求項１〜３１のいずれかに記載の生体状態測定装置。
【請求項３３】
前記バンドは、異なる材質からなる内側バンドと外側バンドとを重ね合わせた構造を有することを特徴とする前記請求項１〜２９のいずれかに記載の生体状態測定装置。
【請求項３４】
前記内側バンドが、前記外側バンドより柔軟性に優れていることを特徴とする前記請求項３３に記載の生体状態測定装置。
【請求項３５】
前記内側バンドが、前記外側バンドより伸縮性に優れていることを特徴とする前記請求項３３又は３４に記載の生体状態測定装置。
【請求項３６】
前記内側バンドが、前記外側バンドより吸水性に優れていることを特徴とする前記請求項３３〜３５のいずれかに記載の生体状態測定装置。
【請求項３７】
前記内側バンドが、前記外側バンドより通気性に優れていることを特徴とする前記請求項３３〜３６のいずれかに記載の生体状態測定装置。
【請求項３８】
前記内側バンドが、前記外側バンドより前記生体に対する密着性に優れていることを特徴とする前記請求項３３〜３７のいずれかに記載の生体状態測定装置。
【請求項３９】
前記内側バンドが、前記外側バンドより遮光性に優れていることを特徴とする前記請求項３３〜３８のいずれかに記載の生体状態測定装置。
【請求項４０】
前記内側バンドが、その殆どの位置にて、前記外側バンドより幅が広いことを特徴とする前記請求項３３〜３９のいずれかに記載の生体状態測定装置。
【請求項４１】
前記内側バンドと前記外側バンドとが分離可能であることを特徴とする前記請求項３３〜４０のいずれかに記載の生体状態測定装置。
【請求項４２】
前記内側バンドと前記外側バンドとを、それぞれ別個に前記センサ本体側に固定する構成であることを特徴とする前記請求項３３〜４１のいずれかに記載の生体状態測定装置。
【請求項４３】
前記測定部における装着状態を検知する検知部と、
該検知部により測定部の装着状態を検知した場合には、その結果を報知する報知部と、
を備えたことを特徴とする前記請求項１〜４２のいずれかに記載の生体状態測定装置。
【請求項４４】
前記測定部により、前記生体の脈波を検出することを特徴とする前記請求項１〜４３のいずれかに記載の生体状態測定装置。
【請求項４５】
測定部に、前記生体の測定部位に光を照射する発光体と、前記照射光の前記生体からの反射光を受光して受光量に応じた生体情報信号を生成する受光体と、を備えたことを特徴とする前記請求項４４に記載の生体状態測定装置。
【発明の詳細な説明】
【技術分野】
【０００１】
本発明は、例えば手首等に取り付けられて、脈波等を検知することができる生体状態測定装置に関するものである。
【背景技術】
【０００２】
従来より、人の状態を脈波によって検出するために、各種の脈波センサが用いられている。
例えば特許文献１では、腕時計型のセンサ本体及びバンドを備えた脈波センサが提案されている。この脈波センサにおいては、脈波センサを装着する際の押圧力を調節するために、バンドには複数の調節孔及び調節孔に入れるタングが設けられていた。また、一般に、脈波センサは、測定の際にずれが生じると測定誤差が発生し易いので、この脈波センサにおいては、測定の際のずれを防止するために、脈波センサのバンドの内側（センサ本体と対向する側）に、台形状に突出する弾性体が配置されていた。
【０００３】
また、特許文献２では、ずれを防止する等の目的で、脈波センサを一定の押圧力で保持するために、脈波センサのバンドの一部を弾性体で構成し、この弾性体に強度を表示する箇所を設けていた。
【特許文献１】特開平２００１−２７６００１号公報 （第３頁、図１）
【特許文献２】特開平２００３−２２００４１号公報 （第４頁、図１）
【発明の開示】
【発明が解決しようとする課題】
【０００４】
しかしながら、前記特許文献１の技術では、脈波センサの装着時に、弾性体の突起が気になるという問題があった。また、バンドの調節孔は所定間隔毎にあるだけなので、バンドの長さを調節する際に、締め付け強度がばらつき、測定精度が低下するという問題もあった。
【０００５】
一方、前記特許文献２の技術では、バンド構造が複雑になるという問題があった。また、センサ本体とのバランスを保たないと、脈波センサが動き易くなるという問題もあった。
【０００６】
本発明は、前記課題を解決するためになされたものであり、その目的は、シンプルな構造で、好適に装着できる生体状態測定装置を提供することにある。
【課題を解決するための手段】
【０００７】
（１）請求項１の発明は、生体に接触して該生体の状態を測定する測定部を有するセンサ本体と、前記生体の装着部位の周囲に巻回されて、前記センサ本体を前記生体の装着部位に取り付けるバンドと、を備えた生体状態測定装置において、前記センサ本体の側端部に、前記バンドが通されるバンド挿通孔を有するバンド固定部を備え、前記バンドは、主として柔軟に変形する弾性材料からなり、該バンド自身の変形による弾性力によって、該バンド自身を前記バンド挿通孔にて係止するとともに、前記測定部を前記生体側に押圧することを特徴とする。
【０００８】
本発明は、図１に例示するように、例えばゴムの様な柔軟で弾性のあるバンドを変形させてバンド挿通孔に通し、その変形による弾性力によって、バンド自身が動かない様にバンド挿通孔（従ってバンド固定部）に係止される。即ち、バンド挿通孔に通されるバンドの部分が圧縮されるとともに、バンド挿通孔の前後では変形が戻る状態となって、係止位置をずらす様な所定以上の大きな外力が加わらない限りは、バンドが移動しない状態でバンド固定部にて固定される。
【０００９】
それとともに、バンドの弾性力によって測定部が生体側に押圧されて、センサ本体が測定部位に装着され、精度の良い測定が可能な状態となる。
従って、従来の腕時計型センサのバンドの様に、複数の固定穴に棒を差し込んで固定するものに比べて、その構造が簡単であり、しかもバンドの調節が無段階に可能であるので、その調節が容易である。よって、精度の良い測定を行うことができる。
【００１０】
つまり、本発明では、バンドをバンド挿通孔に通して引っ張るだけで、バンドの長さを調節して締め付け力の調整が可能であり、また、引っ張ることを止めれば、その位置でバンドが（自身の変形による弾性力で）止まった状態となるので、その使い勝手がよく便利なものである。
【００１１】
尚、センサ本体の側端部とは、測定部が測定部位に対する面（主面）が広がる方向に位置する端部であり、板状のセンサ本体の場合には、その板厚方向に対して略垂直の方向の端部である。
【００１２】
尚、前記バンドの材料としては、例えば糸状のゴムで織り込んだゴム材や、その表面を布材で被覆したカジュアルゴムや、表面をタオル生地で覆ったパイル地材（サポータ様）などが挙げられる。更に、変形の程度としては、一方向（例えばバンドの厚み方向）において２０％以上、長さ方向において５０％以上の範囲で変形するものが挙げられる。（以下同様）
（２）請求項２の発明は、生体に接触して該生体の状態を測定する測定部を有するセンサ本体と、前記生体の装着部位の周囲に巻回されて、前記センサ本体を前記生体の装着部位に取り付けるバンドと、を備えた生体状態測定装置において、前記バンドは、主として柔軟に変形する弾性材料からなり、前記センサ本体の側端部には、前記バンドが通されるバンド挿通孔を有するバンド固定部を備え、前記バンド挿通孔に通される前記バンドの内側面と前記センサ本体の内側面とにより形成される凹部が、前記生体の装着部位に密着する構成であることを特徴とする。
【００１３】
本発明では、図４に例示するように、バンド固定部はセンサ本体の側端部に設けられている。例えばバンド固定部は外方向に突出するように設けられている。
この様な場合には、従来では、バンドの内側面及びセンサ本体の内側面（即ち両内側面とは装着部位側の面である）によって形成される凹部と生体の装着部位との間に隙間が生じ易く、それによって、センサ本体のバンドの巻き付け方向へのずれが発生することがあった。
【００１４】
それに対して、本発明では、上述した柔軟に変形する弾性材料からなるバンドをバンド挿通孔に通す構成であるので、バンドの内側面及びセンサ本体の内側面と装着部位との間に隙間が生じることなく装着部位に密着する。よって、センサ本体の位置ずれが発生し難いので、ノイズ信号が発生し難く、測定精度が向上するという利点がある。
【００１５】
尚、前記バンドとしては、上述の様に、バンド自身の変形による弾性力によって、バンド自身をバンド挿通孔にて係止するとともに、測定部を生体側に押圧するものが好ましい。
【００１６】
（３）請求項３の発明は、前記センサ本体には、その対向する両側端部に、一対の前記バンド固定部を備え、前記バンドは、前記一対のバンド固定部によりその両端側を係止されて環状となることを特徴とする。
【００１７】
図９に例示するように、例えば板状のセンサ本体において、バンドを巻き付ける方向の両側端部にバンド固定部を備えた場合には、左右のバンド固定部のバンド挿通孔にバンドの両端側を通すことにより、バンドを環状にすることができる。よって、環状のバンドに手首等の装着部位を通してバンドを締め付けることにより、センサ本体（従って生体状態測定装置）を容易に装着部位に装着することができる。
【００１８】
（４）請求項４の発明は、前記バンド固定部は、前記センサ本体の側端部から外方向斜め内側に突出した構成であることを特徴とする。
本発明では、図１２に例示するように、バンド固定部は、センサ本体の側端部から外方向斜め内側（例えば板状のセンサ本体の広がる方向より装着部位側）に突出しているので、センサ本体及びバンド固定部が側方から見て略く字状となり、センサ本体やバンドが手首等の装着部位に密着し易いという利点がある。
【００１９】
（５）請求項５の発明は、前記バンド固定部は、前記センサ本体に対して、前記バンド挿通孔にて開く着脱式構造であることを特徴とする。
本発明では、図１５に例示するように、バンド固定部は、センサ本体に対して、バンド挿通孔にて開く着脱可能であるので、径の大きなバンドをバンド挿通孔に配置する作業が容易である。
【００２０】
（６）請求項６の発明は、前記バンド固定部は、前記センサ本体に対して回動又は直線方向に移動して、バンド挿通孔にて開く可動構造であることを特徴とする。
本発明では、図１５に例示するように、バンド固定部は、センサ本体に対して回動等により移動させることが可能であるので、径の大きなバンドをバンド挿通孔に配置する作業が容易である。
【００２１】
（７）請求項７の発明は、生体に接触して該生体の状態を測定する測定部を有するセンサ本体と、前記生体の装着部位の周囲に巻回されて、前記センサ本体を前記生体の装着部位に取り付けるバンドと、を備えた生体状態測定装置において、前記センサ本体に、前記バンドが通されるバンド挿通孔を有するバンド固定部が着脱可能に装着され、前記バンドは、主として柔軟に変形する弾性材料からなり、前記バンド固定部の装着時には、該バンド自身の変形による弾性力によって、前記測定部を前記生体側に押圧することを特徴とする。
【００２２】
本発明では、図２１に例示するように、バンド固定部はセンサ本体と一体に固定されているものではなく、センサ本体に対して着脱が可能である。従って、生体状態測定装置を腕等に装着する場合には、センサ本体からバンド固定部を取り外せばよく、生体状態測定装置の装着や取り外しが極めて容易である。
【００２３】
尚、本発明は、前記請求項１〜６の発明の構成を備えていてもよい。
（８）請求項８の発明は、生体に接触して該生体の状態を測定する測定部を有するセンサ本体と、前記生体の装着部位の周囲に巻回されて、前記センサ本体を前記生体の装着部位に取り付けるバンドと、を備えた生体状態測定装置において、前記センサ本体には、前記バンドが通されるバンド挿通孔を備え、前記バンドは、主として柔軟に変形する弾性材料からなり、該バンド自身の変形による弾性力によって、該バンド自身を前記バンド挿通孔にて係止するとともに、前記測定部を前記生体側に押圧することを特徴とする。
【００２４】
本発明は、前記請求項１の発明と同様な効果を奏する。特に本発明では、図１３に例示するように、センサ本体にバンド挿通孔を設けているので、バンド固定部をセンサ本体から突出させたものに比べて、何かが当たってセンサ本体がずれるという事態が発生し難いという利点がある。
【００２５】
（９）請求項９の発明は、前記バンド挿通孔の内径又はその開口部分の面積より、前記バンドの外径又はその断面積の方が大であることを特徴とする。
本発明では、図１に例示するように、バンドがバンド挿通孔より大きなものであるので、バンドがバンド挿通孔に通された場合に変形し、その弾性力によって、バンドがバンド固定部に係止されて固定されることになる。
【００２６】
尚、前記内径及び外径については、バンドが帯状の場合には、その厚み方向寸法や幅方
向の寸法が挙げられる。
また、寸法や断面積の大きさの比較については、例えばバンド挿通孔の寸法がバンドの寸法の４０〜９０％の範囲が挙げられ、また、バンド挿通孔の開口面積がバンドの断面積の４０〜９０％の範囲が挙げられる。
【００２７】
（１０）請求項１０の発明は、前記バンドは、前記生体の装着部位に装着した装着時と非装着時とで、前記装着部位を巻く環状部分の径が変化することを特徴とする。
図１に例示するように、生体状態測定装置を手首等の装着部位に装着した場合には、装着部位の寸法に応じてバンドが伸び、その押圧力によってセンサ本体（従って測定部）を測定部位に押圧するので、環状バンドの内径は大きくなっている。一方、生体状態測定装置を装着部位から外した場合には、バンドは自身の弾性力によって収縮するので、環状バンドの内径は小さくなる。
【００２８】
（１１）請求項１１の発明は、前記バンドは、前記バンド挿通孔に対し、前記測定部が設けられた内側から外側に通されて、バンドの先端が外側に配置される構成であることを特徴とする。
【００２９】
本発明では、図２に例示するように、バンドが内側（測定部側：生体側）から外側にバンド挿通孔に通され、その先端が外側に配置される構成であるので、バンドが装着部位に密着し易く、バンドの締め付け力の調整も容易である。
【００３０】
（１２）請求項１２の発明は、前記バンドは、非装着時には、自身の弾性により、前記バンド挿通孔に係止されて、所定以上の外力が加わらない限りはその係止位置が移動しないことを特徴とする。
【００３１】
本発明では、図２に例示するように、生体状態測定装置が手首等の装着部位に装着されていない場合には、バンドは自身の弾性力によって収縮した状態となるが、バンド挿通孔に通された部分は、バンドの変形による弾性力によって、バンド固定部に対して移動しない様に係止されている。
【００３２】
つまり、通常の装着時程度の力でバンドを引っ張っても、バンドはバンド挿通孔からずれたりしないので、非装着時に、例えば自然な状態で放置しておいても、バンドは係止位置がずれたりしない。よって、次回装着時には、前回と同じ条件（押圧力等）での装着が可能であるので、測定精度を一定に保つことができる。
【００３３】
（１３）請求項１３の発明は、前記センタ本体の測定部側の表面が、湾曲構造を有することを特徴とする。
本発明では、図１１に例示するように、センタ本体の測定部側の表面が、例えば手首等の装着部位の表面形状に応じて例えば凹状に湾曲しているので、手首等の装着部位に装着した場合に、センサ本体が側着部位に好適に密着するという利点がある。
【００３４】
（１４）請求項１４の発明は、前記センタ本体の測定部側の表面が、前記生体の装着部位の表面形状に対応した所定の１方向に沿って湾曲した構造を有することを特徴とする。
特に、本発明では、図１１に例示するように、センタ本体の測定部側の表面は、例えば手首等の外周に沿った方向（バンドを巻き付ける方向）の様に、所定の１方向に沿う様に、装着部位の表面形状に応じて、例えば凹状に湾曲した構造を有するので、センサ本体が側着部位に好適に密着するという利点がある。
【００３５】
（１５）請求項１５の発明は、前記バンドの一方又は両方の先端が、前記バンド挿通孔を通り抜けられない構成であることを特徴とする。
図６に例示するように、バンドの両側がバンド挿通孔に通されている状態で、バンドの両先端がバンド挿通孔を通り抜けられないほど大きな寸法とされている場合には、バンドを強く引っ張っても、バンドはバンド挿通孔から抜け落ちることがない。
【００３６】
また、バンドの一方の先端がバンド挿通孔を通り抜けられないほど大きな寸法とされている場合には、バンドの他方を強く引っ張っても、バンドはバンド挿通孔から抜け落ちることがない。
【００３７】
尚、バンド挿通孔を通り抜けられない構成としては、バンドの厚みや幅等の寸法を、バンド挿通孔を通り抜けられないほど大きな寸法とする方法や、例えばバンドをバンド挿通孔に通した後に、バンドの先端にバンド挿通孔より大きな寸法で硬い部材を取り付ける方法等を採用できる。
【００３８】
（１６）請求項１６の発明は、前記バンド挿通孔に通された前記バンドの一方側又は両端側にて、該バンドの係止位置の調節が可能であることを特徴とする。
バンドは、自身の変形による弾性力によって、バンド自身がバンド挿通孔にて係止される。従って、図７に例示するように、この弾性よる係止力より大きな力でバンドを引っ張ることにより、バンドの係止位置の調節が可能である。尚、図７に例示するように、バンドの一端を接着や縫製や留め具の装着等によって固定することにより、他端を引っ張っても、バンドが抜け落ちることがない。
【００３９】
尚、例えば環状のバンドを手首等に取り付ける場合に、バンドの輪を広げただけで係止位置がずれるのは好ましくないので、その程度の装着時の力では、係止位置がずれたりしない様に適宜弾性力を調節しておくことが好ましい。
【００４０】
（１７）請求項１７の発明は、手首における装着時に、前記バンドの係止位置の調節が手前側で可能な構成としたことを特徴とする。
本発明では、図８に例示するように、生体状態測定装置を手首に装着した際には、例えばバンドの自由端が手前（人の体側）にくる様にすることにより、バンドの係止位置の調節が容易になる。
【００４１】
尚、例えばセンサ本体の表示部分の向きや表示等により、センサ本体の向きを設定できるので、バンドの調節側の向きも設定することができる。
（１８）請求項１８の発明は、前記センサ本体が、その平面形状の上下又は左右に非対称であることを特徴とする。
【００４２】
例えば図１に示す形状（図１では左右方向非対称）を採用でき、これにより、センサ本体の向きを逆にして装着することを防止できる。よって、常に一定の測定状態にできるので、測定精度が向上するという利点がある。
【００４３】
（１９）請求項１９の発明は、前記バンドの一方又は両方の先端を、固定できる構成としたことを特徴とする。
図９（ａ）に例示するように、例えばバンド挿通孔を通したバンドの一方又は両方を、バンドの表面等に、縫製、接合、面ファスタ等により固定する。これにより、バンドを強く引っ張った場合でも、バンド挿通孔からバンドが抜け落ちることを防止することができる。
【００４４】
（２０）請求項２０の発明は、前記バンドの自由端を、前記バンドに嵌めたリング状部材に通して固定する構成としたことを特徴とする。
本発明では、図９（ｂ）に例示するように、バンドの自由端をリング状部材に通して固定するので、バンドの自由端が跳ね上がって邪魔になることを防止できる。
【００４５】
（２１）請求項２１の発明は、前記バンドは、センサ本体の外側を覆って固定される構造であることを特徴とする。
本発明では、図１０（ａ）に例示するように、バンドはセンサ本体の外側（測定部とは反対側）を覆って、反対側に位置するバンドの表面等に固定されるので、センサ本体をしっかりと固定できるという効果がある。
【００４６】
（２２）請求項２２の発明は、前記センサ本体に、その両側端同士をつなぐように貫通する中空部を備え、前記バンドは、前記センサ本体の中空部を通過して固定される構造であることを特徴とする。
【００４７】
本発明では、図１０（ｂ）に例示するように、バンドは中空部を通されて、反対側に位置するバンドの表面等に固定されるので、センサ本体をしっかりと固定でき、しかも、センサ本体の表面に表示部が設けられている場合には、その表示を見ることができる。
【００４８】
（２３）請求項２３の発明は、前記センサ本体の側端部に、装置の動作を操作する操作部を設けたことを特徴とする。
本発明では、図１に例示するように、センサ本体の側端部に、腕時計の様に、装置の動作を操作する操作スイッチ等の操作部を設けたので、その操作が容易である。
【００４９】
（２４）請求項２４の発明は、前記操作部を、前記センサ本体の側端部に形成された凹部内に設けたことを特徴とする。
本発明では、図１６（ａ）に例示するように、凹部に操作スイッチ等の操作部を収容したので、操作スイッチ等が引っ掛かり難いという利点がある。
【００５０】
（２５）請求項２５の発明は、生体に接触して該生体の状態を測定する測定部と、前記生体の装着部位の周囲に巻回されて、前記測定部を前記装着部位に押圧するバンドとを備えた生体状態測定装置であって、前記バンドに、前記生体の状態の測定に必要な部品を配置したことを特徴とする。
【００５１】
本発明では、図１４に例示するように、バンド自体に測定部等の部品を配置したので、密着性が高く、装置をコンパクトにできるという効果がある。
（２６）請求項２６の発明は、前記部品は、測定部、表示部、電池、及び操作部のうち、少なくとも１種であることを特徴とする。
【００５２】
本発明は、図１４に例示するように、バンドに配置（例えば内蔵）される部品を例示したものである。尚、表示部とは、例えば液晶等により測定結果等を表示する装置である。
（２７）請求項２７の発明は、前記バンドに設けられた部品と、前記バンドとは別に設けられた測定部とが、接続構造により電気的に接続されたことを特徴とする。
【００５３】
図１４（ａ）に例示するように、バンドに表示部が設けられている場合には、例えばボタン状の接続構造により表示部を測定部（従ってセンサ本体）に接続することができる。
（２８）請求項２８の発明は、生体に接触して該生体の状態を測定する測定部と、前記生体の装着部位の周囲に巻回されて、前記測定部を前記装着部位に押圧するバンドと、を備えた生体状態測定装置であって、前記バンドの内側に、前記測定部を備えたセンサ本体を固定構造により固定したことを特徴とする。
【００５４】
本発明は、図１６（ａ）に例示するように、例えば一体の環状のバンドの内側に、例えば面ファスナを用いてセンサ本体を固定したものである。これにより、簡単に装置を構成することができる。
【００５５】
（２９）請求項２９の発明は、生体に接触して該生体の状態を測定する測定部を収容した板状のセンサ本体を備え、主として柔軟に変形する弾性材料から構成されて前記生体の装着部位の周囲に巻回されるバンドによって、前記測定部を前記装着部位に押圧する生体状態測定装置であって、前記センサ本体の板厚方向の一方に表面に設けられ、前記センサ本体自身を前記バンドに固定する固定構造（例えば面ファスナ）を備えたことを特徴とする。
【００５６】
本発明は、図１６（ｂ）に例示するように、例えば前記請求項２８の発明にて用いられるセンサ本体の構造を例示したものである。
（３０）請求項３０の発明は、前記バンドは、１本の帯状の長尺の部材であることを特徴とする。
【００５７】
本発明では、図２に例示するように、バンドは１本の帯状の長尺の部材であるので、構造がシンプルであり、センサ本体に取り付けた際の扱いも容易である。
（３１）請求項３１の発明は、前記バンドの幅が一定ではなく、前記測定部の反対側の幅が広くなっていることを特徴とする。
【００５８】
例えば図１７（ａ）に示す構成を採用でき、これにより、生体状態測定装置がずれにくくなるので、測定精度が向上する。
（３２）請求項３２の発明は、前記バンドの前記測定部の反対側に、前記バンドの幅より広い補助パッドを備えたことを特徴とする。
【００５９】
例えば図１７（ｂ）に示す構成を採用でき、これにより、生体状態測定装置がずれにくくなるので、測定精度が向上する。
（３３）請求項３３の発明は、前記バンドは、異なる材質からなる内側バンドと外側バンドとを重ね合わせた構造を有することを特徴とする。
【００６０】
本発明は、図１８（ａ）に例示するように、手首等に接する内側バンドとその外側に位置する外側バンドとの材質が異なっている。従って、生体状態の測定する装置として、最も好適な材質を選択して使用することができる。例えば内側バンドとして柔軟性に優れた材料を採用し、外側バンドとしてやや硬めの材料を採用することにより、内側バンドが手首等に密着し、外側バンドがセンサ本体や内側バンド等をしっかりと保持することができる。
【００６１】
（３４）請求項３４の発明は、前記内側バンドが、前記外側バンドより柔軟性に優れていることを特徴とする。
本発明は、内側バンドが外側バンドより柔軟性に優れている。従って、内側バンドは手首等の表面に密着することができるので、生体状態測定装置がずれにくくなる。よって、光にて生体情報を測定する場合には、内側バンドと手首等の隙間に外光が侵入し難く、測定精度が向上する。また、内側バンドは柔軟であるので、手首等の一部のみが過度に押圧されることがなく、使用感に優れている。一方、外側バンドは内側バンドより硬質であるので、しっかりと測定装置を保持することができるという利点がある。
【００６２】
（３５）請求項３５の発明は、前記内側バンドが、前記外側バンドより伸縮性に優れていることを特徴とする。
本発明は、前記請求項３４と同様な効果を奏する。
【００６３】
（３６）請求項３６の発明は、前記内側バンドが、前記外側バンドより吸水性に優れていることを特徴とする。
本発明は、内側バンドの吸水性に優れているので、汗をかいた場合でも使用感が低下しないという効果がある。
【００６４】
（３７）請求項３７の発明は、前記内側バンドが、前記外側バンドより通気性に優れていることを特徴とする。
本発明は、内側バンドの通気性が優れているので、汗をかいた場合でも使用感が低下しないという効果がある。
【００６５】
（３８）請求項３８の発明は、前記内側バンドが、前記外側バンドより前記生体に対する密着性に優れていることを特徴とする。
本発明は、内側バンドが外側バンドより密着性が優れている。従って、前記請求項３４の発明と同様な効果を奏する。
【００６６】
（３８）請求項３９の発明は、前記内側バンドが、前記外側バンドより遮光性に優れていることを特徴とする。
本発明は、内側バンドが外側バンドより遮光性が優れている。従って、光にて生体情報を測定する場合には、内側バンドと手首等の隙間に外光が侵入し難く、測定精度が向上する。
【００６７】
（４０）請求項４０の発明は、前記内側バンドが、その殆どの位置（例えば内側バンドの１／２以上）にて、前記外側バンドより幅が広いことを特徴とする。
本発明では、図１８（ｂ）に例示するように、内側バンドの幅が全体として外側バンドより広いので、バンドがずれにくく、遮光性にも優れている。従って、光にて生体情報を測定する場合には、内側バンドと手首等の隙間に外光が侵入し難く、測定精度が向上する。
【００６８】
（４１）請求項４１の発明は、前記内側バンドと前記外側バンドとが分離可能であることを特徴とする。
本発明では、（手首等に接して汚れやすい）内側バンドと外側バンドとが分離可能であるので、例えば面ファスナ等を利用して内側バンドと外側バンドとを分離可能に結合するので、分離した内側バンドのみを洗濯することができる。
【００６９】
（４２）請求項４２の発明は、前記内側バンドと前記外側バンドとを、それぞれ別個に前記センサ本体側に固定する構成であることを特徴とする。
本発明では、図１９に例示するように、内側バンドと前記外側バンドとを、センサ本体側の別に位置に取り付けるようにしている。従って、例えば内側バンドが手首等を十分に覆うように、センサ本体の裏側（手首等の側）取り付けることができ、外側バンドをセンサ本体の側端部に取り付けることができる。これにより、内側バンドの密着性の向上を図ることができる。
【００７０】
（４３）請求項４３の発明は、前記測定部における装着状態を検知する検知部と、該検知部により測定部の装着状態を検知した場合には、その結果を報知する報知部と、を備えたことを特徴とする。
【００７１】
これにより、正しく装着された状態又は正しく装着されない場合が分かるので、装着状態を正確に把握することができる。
（４４）請求項４４の発明は、前記測定部により、前記生体の脈波を検出することを特徴とする。
【００７２】
本発明は、例えば図５に示すような生体状態測定装置を例示したものである。
（４５）請求項４５の発明は、測定部に、前記生体の測定部位に光を照射する発光体と、前記照射光の前記生体からの反射光を受光して受光量に応じた生体情報信号を生成する受光体と、を備えたことを特徴とする前記請求項３３に記載の生体状態測定装置を要旨とする。
【００７３】
本発明は、例えば図５に示すような測定部を例示したものである。本発明は、上述したバンドを使用することにより、測定部が測定部位に密着するとともに、ずれが発生し難いので、この様な光学的測定を行う装置に最適である。
【発明を実施するための最良の形態】
【００７４】
次に、本発明の最良の形態の例（実施例）について説明する。
【実施例１】
【００７５】
ここでは、生体状態測定装置として、人体の手首に装着して脈波を検出する脈波センサを例に挙げて説明する。
ａ）まず、本実施例の脈波センサの形状等について、図１に基づいて説明する。
【００７６】
図１に示す様に、本実施例の脈波センサ１は、人体の例えば手首３に取り付けられる腕時計タイプのセンサであり、脈波センサ本体５と、脈波センサ本体５を手首に取り付けるバンド７とを備えている。
【００７７】
前記脈波センサ本体５は、平面形状が略舟形の板状の部材であり、手の先の方向（図１の右側）が突出している。つまり、同図の左右方向（手首３の伸びる方向：脈波センサ本体５の軸方向）に非対称で、上下方向（手首３の外周を回る方向：外周方向）に対称である。
【００７８】
脈波センサ本体５は、その表面に液晶の表示部（モニタ）９を備えるとともに、裏面に脈波の検出を行う測定部１１を備えている。脈波センサ本体５の軸方向の側端（図１の左側）には、脈波センサ１のオン・オフ等の操作などを行う操作スイッチ１３が設けられている。
【００７９】
また、脈波センサ本体５の上下方向（手首の外周方向）には、バンド７が通される一対のバンド固定部１５、１７が、外側に突出する様に設けられている。このバンド固定部１５、１７は、左右の脚部１９〜２５、と両脚部１９〜２５を繋ぐ梁部２７、２９とからなる外形が略台形状の部材であり、両脚部１９〜２５及び梁部２７、２９と脈波センサ本体５とに囲まれて、バンド７が通される短冊状のバンド挿通孔３１、３３が形成されている。
【００８０】
一方、前記バンド７は、例えば糸状のゴムで織り込んだゴム材や、その表面を布材で被覆したカジュアルゴムや、表面をタオル生地で覆ったパイル地材（サポータ様）などからなる弾性を有する１本の帯状体である。つまり、バンド７は、外力が加わると柔軟に変形し、外力が無くなると自身の弾性により元の形状に戻るゴム状等の材質からなる。
【００８１】
このバンド７の長さは、例えば１５０ｍｍの様に、手首３に巻いてからバンド挿通孔３１、３３に通して十分に余る様な寸法（例えば余り１００ｍｍ）を有しており、その厚みは、バンド挿通孔３１、３３の短手方向（図１の上下方向）の寸法より例えば２ｍｍ程度厚く設定され、その幅は、バンド挿通孔３１、３３の長手方向（図１の左右方向）の寸法（例えば２０ｍｍ）より例えば１０ｍｍ程度若干大きめに設定されている。
【００８２】
ｂ）次に、上述した構成の脈波センサ１を手首３に取り付ける方法について説明する。
まず、図２に示す様に、脈波センサ本体５の両バンド固定部１５、１７のバンド挿通孔３１、３３に対し、内側（測定部１１のある裏側）からバンド７の両端をそれぞれ通し、バンド７が輪になった状態とする。
【００８３】
この状態で、バンド７の輪に手を通し、脈波センサ１を手首３の位置に配置する。
次に、バンド７の端部（自由端）を引っ張って、バンド７の締め付け具合（押圧状態や密着状態）を調節しながらバンド７の輪を短くして締め付けて、脈波センサ１を手首３に取り付ける。
【００８４】
このバンド７は、バンド挿通孔３１、３３の内径よりも大きな寸法を有しているので、バンド挿通孔３１、３３ではバンド７が圧縮され、バンド挿通孔３１、３３を通過したその近傍（前後の位置）ではバンド７自身の弾性によってバンドの外形がほぼ元に戻り、バンド７の取付位置Ｔがずれることや、バンド７自身がバンド挿通孔３１、３３から抜け落ちることが防止される。
【００８５】
尚、一旦締め付け具合を調節して、バンド７を脈波センサ本体５に取り付けた後に、手首３に対して脈波センサ１を着脱する場合には、バンド７の取付位置Ｔをずらすことなく、弾力のあるバンド７を引っ張って輪を大きくすることにより、着脱を行う。この時には、図３に示す様に、脈波センサ１を手首３に装着する前と後とでは、バンド７の形状が変化する。即ち、手首３に装着していない場合には、その内径は小さくなる。
【００８６】
この様にして、バンド７の弾力によって、脈波センサ１（従って脈波センサ本体５）を手首３にしっかりと取り付けることができる。
つまり、図４に示す様に、バンド固定部１５、１７の根本部分近傍の接続部分Ｓ、即ちバンド７の内側面と脈波センサ本体の内側面の接続部分Ｓが、手首３の表面と隙間無く密着することにより、脈波センサ本体５（特に測定部１１）をずれなく固定することができる。
【００８７】
ｃ）次に、本実施例の脈波センサ１の内部構造及び動作等について説明する。
図５に示す様に、前記脈波センサ本体５は、測定部１１と、測定部１１の制御等を行う制御部３５とを備えており、測定部１１の透明な窓３７が手首に密着する様に取り付けられる。
【００８８】
前記測定部１１は、発光素子（例えば発光ダイオード：ＬＥＤ）３９と、その駆動回路４１と、受光素子（例えばフォトダイオード：ＰＤ）４３と、光を通過させる透明な窓３７とを備える周知の光学式反射型センサである。
【００８９】
この測定部１１においては、発光素子３９から人体に向かって光が照射されると、光の一部が人体の内部を通る毛細動脈に当たって、毛細動脈を流れる血液中のヘモグロビンに吸収され、残りの光が毛細動脈で反射して散乱し、その一部が受光素子４３に入射する。この時、血液の脈動により毛細動脈にあるヘモグロビンの量が波動的に変化するので、ヘモグロビンに吸収される光も波動的に変化する。その結果、毛細動脈で反射して受光素子４３で検出される受光量が変化し、その受光量の変化を脈波情報（例えば電圧信号）として制御部３５に出力している。
【００９０】
一方、前記制御部３は、脈波解析装置としての機能を有するものであり、検出回路４５と、ＡＤＣ（ＡＤコンバータ）４７と、マイクロコンピュータ４９とを内蔵する。
尚、制御部３５には、各種のデータを（マニュアル等により）入力するための入力部（即ち操作スイッチ）１３と、検出結果等を表示する表示部（即ちモニタ）９とが接続されている。
ｄ）次に、本実施例による効果を説明する。
【００９１】
・本実施例では、脈波センサ１は、その両端のバンド固定部１５、１７に、簡易な構造の１本の弾性を有する帯状のバンド７を通して固定する構成であるので、バンド７の弾性
により、手首３等のどの位置に脈波センサ１を取り付けても、脈波センサ１をずれなく固定することができる。
【００９２】
・本実施例では、バンド７の外径がバンド挿通孔３１、３３の内径よりも大であるので、バンド７をバンド挿通孔３１、３３に通すだけで、バンド７自身の弾力によって、所定の取付位置Ｔにて、バンド７をバンド固定部１５、１７に係止することができる。これにより、脈波センサ１の着脱にかかわらず、バンド７が取付位置Ｔからずれたりせず、抜け落ちることもない。
【００９３】
・このバンド７は、両端を引っ張って、その取付位置Ｔを変更できるので（即ち両端が可変であるので）、押圧力等の調整が容易であるという利点がある。
・本実施例では、バンド固定部１５、１７の根本部分とバンド７との接続部分Ｓが、手首３の表面と隙間無く密着しているので、脈波センサ１をずれなく（ぐらつくことなく）しっかりと固定することができる。それにより、計測の精度を高めることができる。
【００９４】
・バンド７は、バンド固定部１５、１７の内側から外側に通す構成であるので、この点からも、脈波センサ本体５と手首３との隙間を無くすことができる。
・本実施例では、従来の時計のバンドに様に、複数の固定穴を利用して止めるのではなく、バンド７を無段階に調節できるので、締め付け強度がばらつきにくく、測定精度が低下しにくいという利点もある。
【００９５】
・本実施例では、一旦バンド７を取り付けた後は、バンド７の輪を広げて脈波センサ１の着脱を行うので、バンド７の取付位置Ｔがずれることはない。よって、常に一定の押圧力で測定部１１を押圧できるので、測定の精度を一定に保つことができる。
【００９６】
・本実施例では、脈波センサ本体５が、左右に非対称であるので、装着方向が一目で分かるという利点がある。また、これとは別に、脈波センサ本体５を、上下に非対称の形状としてもよい。尚、装着方向が逆の場合には、測定部１１の発光素子３９及び受光素子４３の位置がずれるので、同じ測定条件とならず、測定結果にずれが生じる可能性があるので、好ましくない。
【実施例２】
【００９７】
次に、実施例２の脈波センサを説明するが、前記実施例１と同様な内容の説明は省略する。
図６（ａ）に示す様に、本実施例の脈波センサ５１は、前記実施例１と同様に、板状の脈波センサ本体５２及び弾性を有する帯状のバンド５５を備えている。
【００９８】
特に本実施例では、バンド５５は、その両端に、略三角柱状の突起部５７、５９を備えている、
図６（ｂ）に示す様に（尚、図６（ｂ）は図６（ａ）のＢ部分をバンド固定部６１の上方に配置して大きさを対比した模式図である）、この突起部５７、５９は、帯状のバンド本体６３の外形寸法より大きなものであり、よって、バンド固定部６１のバンド挿通孔６５の内径よりもかなり大きく外側に張り出している。
【００９９】
従って、本実施例では、バンド５５が強く引っ張られた場合でも、バンド５５がバンド固定部６１から脱落することがない。
尚、前記突起部５７、５９の様なバンド５５が抜け落ちることを防止する構成は、両端ではなく、一端のみに設けてもよい。また、この突起部５７、５９は、バンド５５の端部を加工して形成してもよく、或いは他の部材を接合又は接続して形成してもよい。また、その形状は、略三角柱状に限らない。
【実施例３】
【０１００】
次に、実施例３の脈波センサを説明するが、前記実施例１と同様な内容の説明は省略する。
図７に示す様に、本実施例の脈波センサ７１は、前記実施例１と同様に、板状の脈波センサ本体７３及び弾性を有する帯状のバンド７５を備えている。
【０１０１】
特に本実施例では、バンド７５は、その一端（同図左端）が一方のバンド固定部７７の近傍にて固定されている。つまり、バンド７５の一方の端部（固定端）は、バンド挿通孔７９に通されてピン８１を巻いた状態でバンド本体８３の外表面に、例えば縫製や接着等の方法により結合されている。
【０１０２】
また、バンド７５の他方の一端（同図右端）は、他方のバンド固定部８５のバンド挿通孔８７に通された状態であり、この他方の一端（自由端）を引っ張ることにより、バンド７５の締め付け状態が調整可能となっている。
【０１０３】
従って、本実施例では、バンド７５の自由端を引っ張るだけで、バンド７５の締め付け状態が調整可能であり、しかも、バンド７５は固定端にて一方が固定されているので、自由端を強く引っ張っても、バンド７５が一方のバンド固定部７７から抜け落ちることがない。
【０１０４】
特に、本実施例では、図８に示す様に、脈波センサ７１を装着する人の手前側（体側）を自由端とすることにより、バンド７５の調整が容易であるという利点がある。
【実施例４】
【０１０５】
次に、実施例４の脈波センサを説明するが、前記実施例１と同様な内容の説明は省略する。
図９（ａ）に示す様に、本実施例の脈波センサ９１は、前記実施例１と同様に、板状の脈波センサ本体９３及び弾性を有する帯状のバンド９５を備えている。
【０１０６】
特に本実施例では、バンド９５は、その一端（同図左端）が、前記実施例３と同様に、一方のバンド固定部９７の近傍のバンド９５表面にて、例えば縫製や接着等により固定されている。
【０１０７】
また、バンド９５の他方の一端（同図右端）は、他方のバンド固定部９９のバンド挿通孔１０１に通され、この他方の一端（自由端）が着脱可能な様に、バンド本体１０３の外表面に取り付けられている。
【０１０８】
つまり、例えばバンド本体１０３の外表面とバンド９５の自由端には、面ファスナ１０５が設けられており、この面ファスナ１０５により、バンド本体１０３の外表面とバンド９５の自由端とが、着脱可能に結合される。
【０１０９】
従って、本実施例では、バンド９５の自由端が脈波センサ本体９３から周囲の空間に大きく突出した状態となることなく、脈波センサ１とコンパクトに一体化するので、脈波センサ１の使用勝手が良いという利点がる。
【０１１０】
また、図９（ｂ）に示す様に、バンド１０７にリング状部材１０９を嵌め、このリング状部材１０９により、バンド１０７の自由端を固定してもよい。
【実施例５】
【０１１１】
次に、実施例５の脈波センサを説明するが、前記実施例１と同様な内容の説明は省略する。
図１０（ａ）に示す様に、本実施例の脈波センサ１１１は、前記実施例１と同様に、板状の脈波センサ本体１１３及び弾性を有する帯状のバンド１１５を備えている。
【０１１２】
本実施例では、バンド１１５は、その一端が、前記実施例４と同様に、一方のバンド固定部１１７の近傍にて、バンド１１５表面に固定されている。
また、バンド１１５の他方の一端（自由端）は、他方のバンド固定部１１９のバンド挿通孔１２１に通され、脈波センサ本体１１３の表面を覆うようにして配置されている。そして、バンド１１５の自由端は、脈波センサ本体１１３の一方のバンド固定部１１７側のバンド１１５の外表面に、面ファスナ等により着脱可能に取り付けられている。
【０１１３】
これにより、脈波センサ本体１１５は、その表面側から手首１２３側に押圧されて、しっかり固定されるので、測定精度を高めることができる。
尚、この場合は、脈波センサ本体１１５の表面にモニタが設けられていない例が考えられるが、その様な場合は、データを測定部１２５のメモリに記憶しておき、後で適宜出力する様にすればよい。勿論、モニタを設けておいて、バンド１１５の自由端を取り外してモニタを見るようにしてもよい。
【０１１４】
また、これとは別に、図１０（ｂ）に示す様な脈波センサ１３１の構成としてもよい。
つまり、脈波センサ本体１３３に、モニタ１３５及び測定部１３７を設けるとともに、モニタ１３５と測定部１３７との間に、脈波センサ本体１３３の表面と平行（同図の左右方向）に、貫通孔１３９を設け、この貫通孔１３９にバンド１４１を通す様にしてもよい。
【０１１５】
この場合は、脈波センサ本体１３３をしっかりと固定できるとともに、常にモニタ１３５を見ることができるという利点がある。
【実施例６】
【０１１６】
次に、実施例６の脈波センサを説明するが、前記実施例１と同様な内容の説明は省略する。
図１１に示す様に、本実施例の脈波センサ１５１は、前記実施例１と同様に、板状の脈波センサ本体１５３及び弾性を有する帯状のバンド１５５を備えている。
【０１１７】
特に本実施例では、脈波センサ本体１５３の裏側、即ち測定部１５７があり手首１５９と接する側（同図下方）は、手首１５９の外周方向（同図左右方向）の湾曲に応じて湾曲している。尚、手首１５９の長手方向（同図の紙面方向）には、特に湾曲は設けていない。
【０１１８】
これにより、脈波センサ本体１５３（従って測定部１５７）は、隙間無く手首１５９に密着するので、ずれにくく、測定精度が高いという効果がある。
【実施例７】
【０１１９】
次に、実施例７の脈波センサを説明するが、前記実施例１と同様な内容の説明は省略する。
図１２に示す様に、本実施例の脈波センサ１６１においては、脈波センサ本体１６３の両端（同図左右端）に設けられたバンド固定部１６５、１６７は、脈波センサ本体１６３の裏側（同図下側）の表面よりも手首側（同図下方）に突出している。
【０１２０】
これにより、前記実施例６と同様に、脈波センサ本体１６３及びバンド固定部１６５、
１６７は、手首の外周方向の形状と類似の形状となる。よって、脈波センサ本体１６３（従って測定部１６９）は、手首に密着するので、ずれにくく、測定精度が高いという効果がある。
【実施例８】
【０１２１】
次に、実施例８の脈波センサを説明するが、前記実施例１と同様な内容の説明は省略する。
図１３に示す様に、本実施例の脈波センサ１７１は、前記実施例１と同様に、板状の脈波センサ本体１７３及び弾性を有する帯状のバンド１７５を備えている。
【０１２２】
特に本実施例では、脈波センサ本体１７３の外周より内側に、バンド挿入部１７７、１７９を備えている。
これにより、脈波センサ本体１７３から外方向に突出するバンド固定部を設けた場合に比べ、バンド固定部に何かが当たって脈波センサ本体１７３がずれるという事態は生じないので、脈波センサ本体１７３がずれにくく、よって、測定精度が高いという効果がある。
【実施例９】
【０１２３】
次に、実施例９の脈波センサを説明するが、前記実施例１と同様な内容の説明は省略する。
図１４（ａ）に示す様に、本実施例の脈波センサ１８１は、前記実施例１と同様に、板状の脈波センサ本体１８３及び弾性を有する帯状のバンド１８５を備えている。
【０１２４】
特に本実施例では、脈波センサ本体１８３に測定部１８７を備え、バンド１８５にモニタ１８９を備えており、測定部１８７とモニタ１８９とは、例えばスナップ状の接続部１９１、１９３により、機械的及び電気的に接続されている。
【０１２５】
この場合には、バンド１８５は、リング状としても良いし、或いは、脈波センサ本体１８３と反対側（手首の反対側）にて、面ファスナ等により結合してリング状としてもよい。
【０１２６】
本実施例では、バンド１８５により、脈波センサ本体１８３を覆って手首側に押圧する構成であるので、脈波センサ本体１８３がずれにくいという利点がある。
【実施例１０】
【０１２７】
次に、実施例１０の脈波センサを説明するが、前記実施例９と同様な内容の説明は省略する。
図１４（ｂ）に示す様に、本実施例の脈波センサ２０１は、前記実施例９と同様に、板状の脈波センサ本体２０３及び弾性を有する帯状のバンド２０５を備えている。
【０１２８】
特に本実施例では、脈波センサ本体２０３に測定部２０７を備えているが、バンド２０５にモニタを備えていない。また、バンド２０５に、電池２０９、２１１を内蔵している。
【０１２９】
本発明では、重量のある電池２０９、２１１をバンド２０５に内蔵し、そのバンド２０５により、脈波センサ本体２０３を覆って手首側に押圧する構成であるので、脈波センサ本体２０３が一層ずれにくいという利点がある。
【実施例１１】
【０１３０】
次に、実施例１１の脈波センサを説明するが、前記実施例１０と同様な内容の説明は省
略する。
図１４（ｃ）に示す様に、本実施例の脈波センサ２２１は、前記実施例１０と同様に、弾性を有する帯状のバンド２２３に、電池２２５、２２７を内蔵しているが、それだけではなく、測定部２２９も備えている。
【０１３１】
尚、同図に示す様に、別体のモニタ２３１を接続部２３３、２３５を介して搭載しても良いが、モニタ自体をバンド２２３に設けてもよい。或いはモニタ２３１を省略することも可能である。また、操作スイッチ等をバンド２２３に配置しても良い。
【実施例１２】
【０１３２】
次に、実施例１２の脈波センサを説明するが、前記実施例１と同様な内容の説明は省略する。
図１５（ｂ）に示す様に、本実施例の脈波センサ２４１は、前記実施例１と同様に、板状の脈波センサ本体２４３及び弾性を有する帯状のバンド２４５を備えている。
【０１３３】
特に本実施例では、脈波センサ本体２４５に取り付けられたバンド固定部２４７、２４９の一方又は両方は、回動可能である。
従って、バンド２４５を例えばバンド固定部２４７に取り付ける際には、バンド固定部２４７を回動させて開き、その後閉じることにより、容易に取り付けることができる。
【０１３４】
また、その他の例として、図１５（ｂ）に示す様に、バンド固定部２５１を脈波センサ本体２５３から、着脱可能に完全に取り外すことができる様に構成してもよい。
更に、他の例として、図１５（ｃ）に示す様に、バンド固定部２５５をバンドの厚み方向（同図上下方向）にスライド可能としてもよい。
【０１３５】
尚、前記いずれの場合も、バンド挿通孔を閉じてバンド固定部２４７、２５１、２５５を固定する場合には、バンドを押圧して変形させた状態で固定することになる。
【実施例１３】
【０１３６】
次に、実施例１３の脈波センサを説明するが、前記実施例１と同様な内容の説明は省略する。
図１６（ａ）に示す様に、本実施例の脈波センサ２６１は、前記実施例１と同様に、板状の脈波センサ本体２６３及び弾性を有する帯状のバンド２６５を備えている。
【０１３７】
特に本実施例では、バンド２６５はリング状であり、そのバンド２６５の内側に面ファスナ２６７、２６９により脈波センサ本体２６３が取り付けられている。
つまり、バンド２６５の内側に面ファスナ２６９を備えるとともに、脈波センサ本体２６３の上面（測定部２７１）にも面ファスナ２６７を備え、その両面ファスナ２６７、２６９によって、脈波センサ本体２６３をバンド２６５に取り付けている。
【０１３８】
また、図１６（ｂ）に示す様に、脈波センサ本体２６３の側端には、凹部２７３、２７５が設けられ、この凹部２７３、２７５に操作スイッチ２７７、２７９が配置されている。
【０１３９】
これにより、バンド２６５と脈波センサ本体２６３とが別体であっても、容易に一体に固定することができる。また、操作スイッチ２７７、２７９は、凹部２７３、２７５内に配置されているので、ひっかかり難いという利点がある。
【実施例１４】
【０１４０】
次に、実施例１４の脈波センサを説明するが、前記実施例１と同様な内容の説明は省略
する。
図１７（ａ）に示す様に、本実施例の脈波センサ２８１は、前記実施例１と同様に、板状の脈波センサ本体２８３及び弾性を有する帯状のバンド２８５を備えている。
【０１４１】
特に本実施例では、バンド２６５は、脈波センサ本体２８３の反対側（同図裏側）の方が、幅が広くなっている。
これにより、脈波センサ２８１がずれにくくなるので、測定精度を向上することができる。
【０１４２】
また、図１７（ｂ）に示す様に、バンド２９１自体の幅はほぼ一定であるが、脈波センサ本体２８３の反対側に、幅広の板状の安定化部材２９３を取り付けてもよい。
【実施例１５】
【０１４３】
次に、実施例１５の脈波センサを説明するが、前記実施例１と同様な内容の説明は省略する。
図１８（ａ）に示す様に、本実施例の脈波センサ３０１は、前記実施例１と同様に、板状の脈波センサ本体３０３及び弾性を有する帯状のバンド３０５を備えている。
【０１４４】
特に本実施例では、バンド３０５は、内側バンド３０７及び外側バンド３０９の２層構造であり、内側バンド３０７及び外側バンド３０９は面ファスナ（図示せず）等により、分離可能に一体とされている。
【０１４５】
また、図１８（ｂ）に示す様に、内側バンド３０７は、外側バンド３０９に比べて、全体にわたって幅が広くなっている。
更に、内側バンド３０７（例えばその素材）は、外側バンド３０９より、柔軟性、伸縮性、吸水性、通気性、密着性、及び遮光性の特性のうち少なくとも１種以上の特性に優れている。例えば内側バンド３０７は、その表面をタオル地等の布材で被覆したパイル地材（サポータ様）やカジュアルゴムなどからなり、外側バンド３０９は、それよりは硬質であるゴム材や樹脂などからなる。
【０１４６】
上述した構成によって、本実施例では、柔軟性や伸縮性に優れているものは、内側バンド３０７の腕等に対する密着性が向上する。また、腕等の一部が過度に押圧されないので、使用感に優れている。更に、吸水性や通気性に富むことにより、使用感にも優れている。
【０１４７】
また、内側バンド３０７が、密着性に富むこと、幅が広いこと、遮光性が高いこと等により、脈波センサ本体３０３と内側バンド３０７との間に外光が入り難く、よって、測定精度が向上するという利点がある。
【０１４８】
しかも、内側バンド３０７と外側バンド３０９とを分離することにより、腕に密着して汚れやすい内側バンド３０７のみを洗濯することも可能である。
【実施例１６】
【０１４９】
次に、実施例１６の脈波センサを説明するが、前記実施例１と同様な内容の説明は省略する。
図１９（ａ）に示す様に、本実施例の脈波センサ３１１は、前記実施例１５と同様に、板状の脈波センサ本体３１３と、内側バンド３１５及び外側バンド３１７からなるバンド３１９とを備えている。
【０１５０】
特に本実施例では、内側バンド３１５及び外側バンド３１７の取付位置が、前記実施例１５と異なる。
つまり、外側バンド３１７は、前記実施例１５と同様に、脈波センサ本体３１３から伸びるセンサ固定部３２１、３２２に取り付けられているが、内側バンド３１５は、脈波センサ本体３１３の内側面にて、測定部３２３の両側に固定されている。
【０１５１】
具体的には、脈波センサ本体３１３の内側面に、図面の垂直方向に伸びるように凹部３２５、３２６が設けられ、この凹部３２５、３２６に（軸方向に伸縮して）着脱可能な固定ロッド３２７、３２８が取り付けられ、この固定ロッド３２７、３２８に内側バンド３１５の端部が巻き付けられて固定されている。従って、固定ロッド３２７、３２８を縮めることにより、内側バンド３１５を脈波センサ本体３１３から取り外すことができる。
【０１５２】
この構成によって、内側バンド３１５を腕等に一層密着させることができるので、脈波センサ３１１がずれにくく、一層測定精度が高いという利点がある。
尚、他の構成として、図１９（ｂ）に示す様に、脈波センサ本体３３１と内側バンド３３３とが、面ファスナ３３５、３３７により着脱可能に取り付けられるものが挙げられる。
【０１５３】
また、図２０に示す様に、内側バンド３５１を脈波センサ本体３５３に面ファスナ３５５等により装着する場合には、内側バンド３５１に、測定部３５７の周囲を囲むような（即ち測定部３５７の位置がくり抜かれた）開口部３５９を設けたものを採用できる。これにより、一層遮光性が向上する。
【実施例１７】
【０１５４】
次に、実施例１７の脈波センサを説明するが、前記実施例１と同様な内容の説明は省略する。
図２１（ａ）に示す様に、本実施例の脈波センサ３４１は、前記実施例１と同様に、板状の脈波センサ本体３４３及び弾性を有する帯状のバンド３４５を備えている。
【０１５５】
特に本実施例では、脈波センサ本体３４３とバンド３４５を取り付けたバンド固定部３４７、３４８とは、着脱可能に構成されている。
つまり、図２１（ｂ）に示す様に、バンド固定部３４７、３４８には、一対の爪状の固定部側着脱部３４９が設けられ、一方、脈波センサ本体３４３には、凹状の本体側着脱部３５１が設けられ、固定部側着脱部３４９と本体側着脱部３５１とが着脱可能に係合することにより、脈波センサ本体３４３とバンド固定部３４７、３４８とが一体化する。
【０１５６】
尚、一対の固定部側着脱部３４９は、外側に付勢されており、本体側着脱部３５１に押し込まれた際に、内部のロッド（図示せず）に係止し、プッシュボタン３５３により内側に付勢されて、本体側着脱部３５１から離脱する。
【０１５７】
この様に、本実施例では、バンド固定部３４７、３４８は、脈波センサ本体３４３と一体に固定されているものではなく、脈波センサ本体３４３に対して着脱が可能であるので、て、脈波センサ３４１を腕等に装着する場合には、脈波センサ本体３４３からバンド固定部３４７、３４８を取り外せばよく、脈波センサ３４１の装着や取り外しが極めて容易である。
【０１５８】
尚、バンド固定部３４７、３４８の一方のみを、着脱可能としてもよい。
尚、本発明は前記実施例になんら限定されるものではなく、本発明の要旨を逸脱しない範囲において種々の態様で実施しうることはいうまでもない。
（１）例えばセンサ本体の内側やバンドの内側に圧力センサ等を配置して、側手に適切な押圧である場合又はそうでない場合に、測定者に報知するようにしてもよい。
【０１５９】
（２）また、バンド挿通孔は、一部が切りかかれていて、外部に開放された形状であってもよい。
【図面の簡単な説明】
【０１６０】
【図１】実施例１の脈波センサを示す説明図である。
【図２】実施例１のバンド固定部にバンドを通した状態を示す説明図である。
【図３】実施例１のバンドの装着前後の変化を示す説明図である。
【図４】実施例１の脈波センサの装着状態を示す説明図である。
【図５】実施例１の脈波センサのシステム構成を示す説明図である。
【図６】（ａ）実施例２の脈波センサを示す説明図、（ｂ）その一部を拡大して示す説明図である。
【図７】実施例３の脈波センサを示す説明図である。
【図８】実施例３の使用方法を示す説明図である。
【図９】（ａ）実施例４の脈波センサを示す説明図、（ｂ）その変形例を示す説明図である。
【図１０】（ａ）実施例５の脈波センサを示す説明図、（ｂ）その変形例を示す説明図である。
【図１１】実施例６の脈波センサを示す説明図である。
【図１２】実施例７の脈波センサを示す説明図である。
【図１３】実施例８の脈波センサを示す説明図である。
【図１４】（ａ）実施例９の脈波センサを示す説明図、（ｂ）実施例１０の脈波センサを示す説明図、（ｃ）実施例１１の脈波センサを示す説明図である。
【図１５】（ａ）実施例１２の脈波センサを示す説明図、（ｂ）その変形例を示す説明図、（ｃ）更にその変形例を示す説明図である。
【図１６】１（ａ）実施例１３の脈波センサを示す説明図、（ｂ）その脈波センサ本体を示す説明図である。
【図１７】（ａ）実施例１４の脈波センサを示す説明図、（ｂ）その変形例を示す説明図である。
【図１８】（ａ）実施例１５の脈波センサを示す説明図、（ｂ）そのバンドを示す説明図である。
【図１９】（ａ）実施例１６の脈波センサを示す説明図、（ｂ）その変形例を示す説明図である。
【図２０】更に他の変形例を内側バンド側から示す説明図である。
【図２１】（ａ）実施例１７の脈波センサを示す説明図、（ｂ）その使用方法を示す説明図である。
【符号の説明】
【０１６１】
１、５１、７１、９１、１１１、１３１、１５１、１６１、１７１、１８１、２０１、２２１、２４１、２６１、２８１、３０１、３１１、３４１…脈波センサ
３、１２３、１５９…手首
５、５２、７３、９３、１１３、１３３、１５３、１６３、１７３、１８３、２０３、２４３、２５３、２６３、２８３、３０３、３１３、３３１、３４３…脈波センサ本体
７、５５、７５、９５、１０７、１１５、１４１、１５５、１７５、１８５、２０５、２２３、２４５、２６５、２８５、２９１、３０５、３１９、３４５…バンド
９、１３５、１８９、２３１…表示部（モニタ）
１１、１２５、１３７、１５７、１６９、１８７、２０７、２２９、２７１、３２３…測定部
１３、２７７、２７９…操作スイッチ
１５、１７、６１、７７、８５、９７、９９、１１７、１１９、１６５、１６７、２４７、２５１、２５５、３２１、３２２、３４７、３４８…バンド固定部
３１、３３、６５、７９、８７、１０１、１２１、１７７、１７９…バンド挿通孔
Ｓ…接続部分
Ｔ…取付位置
【図１】
2005324004.tif 000003
【図２】
2005324004.tif 000004
【図３】
2005324004.tif 000005
【図４】
2005324004.tif 000006
【図５】
2005324004.tif 000007
【図６】
2005324004.tif 000008
【図７】
2005324004.tif 000009
【図８】
2005324004.tif 000010
【図９】
2005324004.tif 000011
【図１０】
2005324004.tif 000012
【図１１】
2005324004.tif 000013
【図１２】
2005324004.tif 000014
【図１３】
2005324004.tif 000015
【図１４】
2005324004.tif 000016
【図１５】
2005324004.tif 000017
【図１６】
2005324004.tif 000018
【図１７】
2005324004.tif 000019
【図１８】
2005324004.tif 000020
【図１９】
2005324004.tif 000021
【図２０】
2005324004.tif 000022
【図２１】
2005324004.tif 000023